(57)【要約】            本発明は統合宗教思想理念共同体を通じて理想的価値を高めるシステム及びその使用方法に関するもので、個人または団体使用者の会員加入と個人情報がそれぞれの端末機によって入力され、使用者が任意に変更設定が可能な各宗教思想の最高理想郷のメイン画面を含むウェブサーバーと、各宗教別教理メニューと礼拜情報メニュー及び統合思想情報メニューを含む宗教メニューと、個人を対象とするショッピングメニューと求人求職メニュー、寄付奉仕メニューを含む個人統合生活メニューと、団体を対象とするショッピングメニューと求人求職メニュー、寄付奉仕メニューを含む団体統合生活メニューと、貸し付け要請及び支援する貸し付けメニューを含む統合メニューと、使用者の情報を保存する会員情報データベースと、宗教関連情報を保存する宗教情報データベースと、ショッピング、求人求職、寄付奉仕情報を保存する統合生活情報データベースと、貸し付け関連情報を保存する貸し付け情報データベースと、使用者の統合宗教思想理念共同体システム利用実績情報を保存するポイント情報データベースとで構成される統合データベースと、上記統合メニューの情報及び統合データベースの情報を管理する管理モジュールとで構成される。【選択図】          図２
2016520236.tif 000002
【特許請求の範囲】
【請求項１】
統合宗教思想理念共同体を通じて理想的価値を高めるシステムにおいて、
個人または団体使用者（１）の会員加入時に個人情報を入力するそれぞれの端末機（１０）と、
使用者（１）が任意に変更設定が可能な各宗教思想の最高理想郷（２０）のメイン画面を含むウェブサーバー（３０）と、
各宗教別教理メニューと連合祭祀情報メニュー及び統合思想情報メニューを含む宗教メニュー（４１）と、個人を対象とするショッピング、売買を含む商取引メニューと求人求職メニュー及び寄付奉仕メニューを含む個人統合生活メニュー（４２）と、団体を対象とするショッピング、売買を含む商取引メニューと求人求職メニュー及び寄付奉仕メニューを含む団体統合生活メニュー（４３）と、貸し付け要請及び支援する貸し付けメニュー（４４）とを含み、上記ウェブサーバー（３０）上で具現される統合メニュー（４０）と、
使用者（１）の情報を保存する会員情報データベース（５１）と、宗教関連情報を保存する宗教情報データベース（５２）と、ショッピング、売買を含む商取引、求人求職、寄付奉仕情報を保存する統合生活情報データベース（５３）と、貸し付け関連情報を保存する貸し付け情報データベース（５４）と、使用者（１）が会員加入時にチェックする宗教常識的基準に比較された基本的な精神点数と宗教メニュー（４１）の利用実績である接続回数と接続時間情報、掲示文作成回数及び使用者（１）の間の相互評価と個人統合生活メニュー（４２）または団体統合生活メニュー（４３）の利用実績である奉仕参加回数などを数値化した以外に、差等的にポイントを付与する精神的価値点数（５５Ａ）と使用者（１）が個人統合生活メニュー（４２）または団体統合生活メニュー（４３）を利用して発生した金額の中で一定部分を志願して本システムに積み立てた金額や宗教メニューの合同祭祀時にした献金や寄金など実際積み立てた金額を数値化して差等的にポイントを付与する物質的価値点数（５５Ｂ）を集計した統合ポイント（５６）情報が保存されるポイント情報データベース（５５）で構成される統合データベース（５０）と、
上記統合メニュー（４０）の情報及び統合データベース（５０）の情報を管理する管理モジュール（６０）とで構成され、
管理者（３）が上記統合ポイント情報（５６）に基づいて個人別、宗教思想別、団体別に実績統計を出すことができ、ポイント点数に対する資格証や証明書を発給したり貸し付け金額及び償還期間、還給などの貸し付け関連事項を差等化して支援し、使用者（１）が死亡または失踪する場合、積み立てた上記統合ポイント情報（５６）を指定人または指定団体に贈与または還付して生前に積み立てたポイントに対してエピソードを紹介して善行を奨励し誉めて、遺族を激励することができることを特徴とする統合宗教思想理念共同体を通じて理想的価値を高めるシステム。
【請求項２】
統合宗教思想理念共同体を通じて理想的価値を高めるシステム使用方法において、
個人または団体使用者（１）が端末機（１０）を通じて会員加入手続きを通じて会員情報を入力し、宗教思想の最高理想郷（２０）のメイン画面を含むウェブサーバー（３０）と、各宗教別教理メニューと礼拜情報メニュー及び統合思想情報メニューを含む宗教メニュー（４１）と、個人を対象とするショッピング、売買を含む商取引メニューと求人求職メニュー及び寄付奉仕メニューを含む個人統合生活メニュー（４２）と、団体を対象とするショッピング、売買を含む商取引メニューと求人求職メニュー及び寄付奉仕メニューを含む団体統合生活メニュー（４３）と、貸し付け要請及び支援する貸し付けメニュー（４４）を含む統合メニュー（４０）と、使用者（１）の情報を保存する会員情報データベース（５１）と、宗教関連情報を保存する宗教情報データベース（５２）と、ショッピング、売買を含む商取引、求人求職、寄付奉仕情報を保存する統合生活情報データベース（５３）と、貸し付け関連情報を保存する貸し付け情報データベース（５４）と、使用者（１）の統合宗教思想理念共同体システム（２）の利用実績情報を保存するポイント情報データベース（５５）とで構成される統合データベース（５０）と、上記の統合メニュー（４０）の情報及び統合データベース（５０）の情報を管理する管理モジュール（６０）とで構成される統合宗教思想理念共同体システム（２）に接続する第１段階（Ｓ１０）と、
上記統合宗教思想理念共同体システム（２）の統合メニュー（４０）を通じて宗教関連情報を習得及び掲示、ショッピング情報掲示及び売買、求人及び求職、寄付募集及び寄付、奉仕募集及び支援、貸し付け要請を行う第２段階（Ｓ２０）と、
上記第２段階（Ｓ２０）で発生した収益の中で積み立てた金額に対し貸し付け要請がある場合、使用者（１）が会員加入時にチェックされる宗教常識的な基準に比較された基本的な精神的点数と宗教メニュー（４１）の利用実績である接続回数と接続時間情報、掲示文作成回数及び使用者（１）の間の相互評価と個人統合生活メニュー（４２）または団体統合生活メニュー（４３）の利用実績である奉仕参加回数と寄付回数及び金額を数値化して差等的にポイントを付与する精神的価値点数（５５Ａ）と使用者（１）が個人統合生活メニュー（４２）または団体統合生活メニュー（４３）を利用して発生した金額の中で一定部分を志願して本システムに積み立てた金額や宗教メニューの合同祭祀時にした献金や寄金など実際積み立てられた金額を差等的にポイントで付与する物質的価値点数（５５Ｂ）を集計して、使用者（１）別に点数化した統合ポイント（５６）情報に基づいて差等的に支援する第３段階（Ｓ３０）と、
使用者（１）が死亡または失踪する場合、積み立てられた統合ポイント情報（５６）を指定人または指定団体に贈与する第４段階（Ｓ４０）とで構成されることを特徴とする統合宗教思想理念共同体を通じて理想的価値を高めるシステム使用方法。
【発明の詳細な説明】
【技術分野】
【０００１】
本発明は統合宗教思想理念共同体を通じて人の精神的、物質的価値を高めるシステム及びその使用方法に関するもので、より詳しくは、宗教及び思想的価値の商品化を通じて他の宗教の理解とお互いの配慮を通じて效率的な統合宗教思想理念共同体を構築するための統合宗教思想理念共同体を通じて人の精神的物質的価値を高めるシステム及びその使用方法に関するものである。
【背景技術】
【０００２】
宗教とは無限・絶対の超人間的な神を崇拜し、神聖視されて善悪を勧戒して幸せを得ようとすることで、紀元から現代まで人々の生活に影響を及ぼしている。また、超人間的存在がない場合にも人間の精神文化様式の一つとして善悪を勧戒して真理を追い求めようとする思想も多数存在する。現代には端末機の広い普及と通信システムの発展により直接人々と会わなくても情報を交換して共有することができるシステムが構築された。一般的に、宗教または思想的価値を有する人々のためのシステムは、主に各宗教の教理を学ぶことができる教育目的のシステムまたは比較的大きい規模の宗教団体で教人を管理するための運用システムがある。上述したような宗教関連システムは大体一つの宗教のために構成されているため、他の宗教人との接近が難しく、閉鎖的なシステムに転落する問題点が発生する。
【先行技術文献】
【特許文献】
【０００３】
【特許文献１】大韓民国公開特許公報第１０−２００１−００５４２９０号（２００１．０９．０５）
【発明の概要】
【発明が解決しようとする課題】
【０００４】
上述したような問題点を解決するために、本発明では一つのシステム内で多数の宗教及び思想的価値に接して分けることができて、他の宗教に関する排他的な思考を止揚することができ、ショッピングや求人、求職、寄付などの社会活動を可能にし、上記のようなシステム内の活動を指標化して使用者の間の精神的、物質的実績情報を確認してお互いに刺激してより活発な宗教活動と寄付及び分かち合いを実践することができて、誰も容易に接近可能な統合宗教思想理念共同体を通じる人の理想的価値を高めるシステム及びその使用方法を提供することを目的とする。ここで、統合宗教思想とは、世の中に存在する宗教であるキリスト教、仏教、カトリック教、イスラム教、儒教、土俗信仰などの宗教と思想が共存することで、各宗教の普遍的な価値を共有する思想を意味する。
【課題を解決するための手段】
【０００５】
本発明は目的を達するための構成として、本システムにおいて、個人または団体使用者の会員加入時に個人情報がそれぞれの端末機によって入力され、使用者が任意に変更設定が可能な各宗教思想の最高理想郷のメイン画面を含むウェブサーバーと、各宗教別教理メニューと礼拜情報メニュー及び統合思想情報メニューを含む宗教メニューと、個人を対象とするショッピングメニューと求人求職メニュー、寄付奉仕メニューを含む個人統合生活メニューと、団体を対象とするショッピングメニューと求人求職メニュー、寄付奉仕メニューを含む団体統合生活メニューと、貸し付け要請及び支援する貸し付けメニューとを含む統合メニューと、使用者の情報を保存する会員情報データベースと、宗教関連情報を保存する宗教情報データベースとショッピング、求人求職、寄付奉仕情報を保存する統合生活情報データベースと、貸し付け関連情報を保存する貸し付け情報データベースと、使用者の統合宗教思想理念共同体システム利用実績情報を保存するポイント情報データベースとで構成される統合データベース及び上記統合メニューの情報及び統合データベースの情報を管理する管理モジュールがある。
【０００６】
本発明の他の特徴としては、上記ポイント情報データベースは使用者が宗教メニューの利用実績である接続回数と接続時間情報、掲示文作成回数及び使用者の間の相互評価と個人統合生活メニューまたは団体統合生活メニューの利用実績である奉仕参加回数と寄付回数及び金額を数値化して差等的にポイントを付与する精神的価値点数と使用者が個人統合生活メニューまたは団体統合生活メニューの利用実績であるショッピング実績を数値化して差等的にポイントを付与する物質的価値点数を集計して、使用者別に点数化した統合ポイント情報を含み、上記管理モジュールを通じて管理者が閲覧することができることを特徴とする統合宗教思想理念共同体システムである。
【０００７】
本発明のまた他の特徴としては、管理者が統合ポイント情報に基づいて貸し付け金額及び償還期間、還給などの貸し付け関連事項を差等化して支援することができ、使用者が死亡または失踪する場合、積み立てた統合ポイント情報を指定人または指定団体に贈与して激励することができる。
【発明の効果】
【０００８】
上述したように、本発明は一つのシステム内で誰も簡単に接近可能で、多数の宗教及び思想的価値に接して分けることができて、他の宗教に関する排他的な思考を止揚することができ、ショッピングと求人、求職、寄付などの社会活動を可能にし、上記のようなシステム内の活動を指標化して使用者の間の実績情報を確認して、お互いに刺激することでより活発な宗教活動と寄付及び分かち合いを実践することができ、宗教別、階層別の間の善意の競争を通じて分かち合いをより活性化する統合宗教思想理念共同体を通じて理想的価値を高めるシステム及びその使用方法を提供するという效果を奏する。
【図面の簡単な説明】
【０００９】
【図１】従来の発明による宗教団体サービス提供システムであるサーバーシステムのブロック構成図である。
【図２】本発明による統合宗教思想理念共同体システムのネットワーク構成図である。
【図３】本発明による統合宗教思想理念共同体システムのウェブサーバー構成図である。
【図４】本発明による統合宗教思想理念共同体システムの使用方法順序図である。
【発明を実施するための形態】
【００１０】
図２は本発明による統合宗教思想理念共同体システムのネットワーク構成図であり、図３は本発明による統合宗教思想理念共同体システムのウェブサーバー構成図である。図を参照して本発明の構成要素を説明すれば次の通りである。
【００１１】
本システムにおいて、個人または団体使用者１の会員加入と個人情報が入力されるそれぞれの端末機１０と、使用者１が任意に変更設定が可能な各宗教思想の最高理想郷２０のメイン画面を含むウェブサーバー３０と、各宗教別教理メニューと礼拜情報メニュー及び統合思想情報メニューを含む宗教メニュー４１と、個人を対象とするショッピングメニューと求人求職メニュー及び寄付奉仕メニューを含む個人統合生活メニュー４２と、団体を対象とするショッピングメニューと求人求職メニュー及び寄付奉仕メニューを含む団体統合生活メニュー４３と、貸し付け要請及び支援する貸し付けメニュー４４とを含み、上記ウェブサーバー３０上で具現される統合メニュー４０と；使用者１の情報を保存する会員情報データベース５１と、宗教関連情報を保存する宗教情報データベース５２と、ショッピング、求人求職、寄付奉仕情報を保存する統合生活情報データベース５３と、貸し付け関連情報を保存する貸し付け情報データベース５４と、使用者１の統合宗教思想理念共同体システム２の利用実績情報を保存するポイント情報データベース５５と構成される統合データベース５０と；上記の統合メニュー４０の情報及び統合データベース５０の情報を管理する管理モジュール６０；で構成されることを特徴とする統合宗教思想理念共同体システムである。
【００１２】
上記の最高理想郷２０は各宗教で追い求める価値、天国または極楽世界を文字化または視覚化したイメージで、本統合宗教思想理念共同体システム２に接続する使用者１の宗教または趣向によって任意に選択可能である。そして、上記のポイント情報データベース５５は使用者１が会員加入時に明かす宗教観、人生観、社会観、経歴、将来の希望などを理想的な宗教の教理や思想、世の中の健全な倫理道徳、常識的良心などに照らして点数化してチェックしたのを基本点数とし、この点数は会員情報を修正するたびに更新して高めることができる。
【００１３】
宗教メニュー４１の利用実績である接続回数と接続時間情報、掲示文作成回数及び使用者１の間の相互評価と個人統合生活メニュー４２または団体統合生活メニュー４３の利用実績である奉仕参加回数と寄付回数及び金額を数値化したポイントを補助的に追加して付与することで精神的価値点数５５Ａを算定することができる。
【００１４】
また、使用者１が個人統合生活メニュー４２または団体統合生活メニュー４３を利用して得られた収益の中で志願する一定部分を共益収益として本システムに積み立て、積み立てた金額で差等的にポイントを付与する物質的価値点数５５Ｂを集計して、使用者１別に点数化した統合ポイント５６情報を含み、上記管理モジュール６０を通じて管理者３が閲覧することができることを特徴とする。
【００１５】
また、管理者３が統合ポイント情報５６に基づいて貸し付け金額及び償還期間、還給などの貸し付け関連事項を差等化して支援することができる。また、使用者１が死亡または失踪する場合、積み立てた統合ポイント情報５６を指定人または指定団体に贈与して生前に積み立てたポイントに対して、ポイントが貯まる度に係わるエピソードを誉めて遺族を慰める役割を果たすことができることを特徴とする。精神的点数で教えや常識的な良心から逸脱したのは「−」の値、物質的点数で貸し付けは「−」の値、償還は「＋」値を付ける。
【００１６】
図４は本発明による統合宗教思想理念共同体システムの使用方法順序図で、これを参照して使用方法を説明すれば次の通りである。
【００１７】
個人または団体使用者１が端末機１０を通じて上述したような統合宗教思想理念共同体システム２に接続する第１段階Ｓ１０と、ウェブサーバー３０に具現された統合メニュー４０を通じて宗教関連情報を習得及び掲示、ショッピング情報の掲示及び売買、求人及び求職、寄付募集及び寄付、奉仕募集及び支援、貸し付け要請を行う第２段階Ｓ２０と、上記の第２段階Ｓ２０で発生した収益の中で積み立てた金額を貸し付け要請がある場合、使用者１が宗教メニュー４１の利用実績である接続した回数と接続時間情報、掲示文作成回数及び使用者１の間の相互評価と個人統合生活メニュー４２または団体統合生活メニュー４３の利用実績である奉仕参加回数と寄付回数及び金額を数値化して差等的にポイントを付与する精神的価値点数５５Ａと使用者１が個人統合生活メニュー４２または団体統合生活メニュー４３の利用実績であるショッピング実績を数値化して差等的にポイントを付与する物質的価値点数５５Ｂを集計して使用者１別に点数化した統合ポイント５６の情報に基づいて差等的に支援する第３段階Ｓ３０と、使用者１が死亡または失踪時に積み立てた統合ポイント情報５６を指定人または指定団体に贈与する第４段階Ｓ４０とで構成される。
【００１８】
上記第２段階Ｓ２０で本統合宗教思想理念共同体システム２を利用する意義は次の通りである。宗教メニュー４１を通じて宗教的、思想的、道徳的価値を各宗教及び思想の経典や教理、倫理意識、健全な思考と良心などに照らして使用者１が自分の精神的修養と礼拜祭祀をして伝導することができる。
【００１９】
また、個人統合生活メニュー４２または団体統合生活メニュー４２を通じてショッピング、求人求職、奉仕、寄付などの社会活動をすることができ、貸し付けメニュー４４を通じて資金支援要請をすることができる。
【００２０】
上述したような第２段階Ｓ２０の活動は統合データベース５０に保存され、これに基づいて個人または団体に授与される精神的価値点数５５Ａと物質的価値点数５５Ｂを集計した統合ポイント５６を通じて、使用者１の精神的価値はもちろん物質的価値の評価基準にして、現金の支援、広告のサポートなどの補償を第３段階Ｓ３０で行う。使用者１の統合ポイント５６は管理者３だけでなく、情報を掲示したり募集公告、物を販売するなどの場合、選択的に一般使用者１が見ることができるようにする。
【００２１】
このように、使用者１の統合ポイント５６を公開することにより第２段階Ｓ２０の活動をより活性化することができる。また、使用者１が本統合宗教思想理念共同体システム２に加入する時、指定人を選別することができる機能を追加して贈与が可能である。指定人は使用者１が任意に変更することができる。
【００２２】
そして、統合ポイント５６を構成する精神的価値点数５５Ａと物質的価値点数５５Ｂの構成比は管理者３が任意に決めることができる。また、統合ポイント５６を参照してポイント点数発給証を発行することができ、天国分譲証や資格証、市民証などを発給することができる。
【００２３】
また、その他のメニュー４５を通じて、上記統合ポイント５６は使用者１別、宗教別、団体別などの掲示が可能で、宗教人相互間の善意の競争を誘導することができる。
【００２４】
本発明は特定の実施例について図示して説明したが、添付された特許請求範囲の発明の思想及び領域から逸脱しない限度内で多様な改造及び変化が可能であることは当業者にとって通常の知識を有する者であれば誰でも容易に理解することができる。
【図１】
2016520236.tif 000003
【図２】
2016520236.tif 000004
【図３】
2016520236.tif 000005
【図４】
2016520236.tif 000006
【国際調査報告】
2016520236.tif 000007
2016520236.tif 000008
2016520236.tif 000009
2016520236.tif 000010